(57)【要約】【課題】  幼児から児童が靴やスリッパを左右間違えて反対に履き、児童から大人にいたるまでの方が靴を脱いだとき、一応整理するのであるが、ばらついて不揃いになるのを防止し、脱ぎ揃え結合させ整理整頓する機能を有する履物。【解決手段】  左右一対の履物に於いて、左足側、右足側のそれぞれのミッドソールの拇指骨部表面に一対の係合離反可能な相反する作用を有する第１係止手段が付設され、内くるぶし部表面に前記第１係止手段に対して逆に作用する第２係止手段が付設された履物である。【選択図】    図１
2006247225.tif 000002
【特許請求の範囲】
【請求項１】
左右一対の履物に於いて、左足側、右足側のそれぞれのミッドソールの拇指骨部表面に一対の係合離反可能な相反する作用を有する第１の係止手段が付設され、内くるぶし部表面に前記第１の係止手段に対して逆に作用する第２の係止手段が付設されたことを特徴とする履物。
【請求項２】
請求項１記載の履物に於いて、前記第１の係止手段と第２係止手段がアウトソールに付設されたことを特徴とする履物。
【発明の詳細な説明】
【技術分野】
【０００１】
本発明は、靴やスリッパの左右等の履物に関し、更に反対に履き、詳しくは、容易に脱ぎ揃えられる履物に関するものである。
【背景技術】
【０００２】
従来の靴やスリッパ等の履物に於いて、幼児や児童の注意を惹きやすいだけでなく、幼児や児童が靴を履く際に起き易い一般に牒々履きと呼ばれる左右の靴の履き違えを防止し、左右正しく靴を履くことが出来るよう躾けることができる幼児や児童向けの靴中敷（特許文献１参照）。とか、又、靴に於いて、耳状の突起物を図柄の一部に取り入れ、両靴でもって、ある一つの物の形（図柄）を表した靴はある。（特許文献２参照）
【特許文献１】実登３１０１３１３号公報
【特許文献２】特開平８−６６２０２号公報
【発明の開示】
【発明が解決しようとする課題】
【０００３】
以上に述べた従来の靴では、一つの物の形（図柄）を表しているだけであるから、幼児から児童が靴やスリッパを左右間違えて反対に履き、児童から大人に至るまでの方が靴を脱いだ時、一応整理するのであるが、ばらついて不揃いに成るのを防止出来なかった。
【課題を解決するための手段】
【０００４】
本発明は、上記課題を達成するため、左右一対の履物に於いて、左足側、右足側のそれぞれのミッドソールの拇指骨部表面に一対の係合離反可能な相反する作用を有する第１の係止手段が付設され、内くるぶし部表面に前記第１の係止手段に対して逆に作用する第２の係止手段が付設された履物である。
【０００５】
なお本発明は、前記第１の係止手段と第２係止手段がアウトソールに付設された履物であってもよい。
【０００６】
本発明に於いて、相反する機能を有する一対の係合離反可能な係止手段とはＮ極とＳ極からなる一対の磁石は相互に密接させることにより密着力を発生する。凸片と凹片とからなる一対の面ファスナーや凸片と凹片の両機能を内在する一対の面ファスナー等をいう。そして第２の係止手段の作用が第１の係止手段に対して相に反するように用いることによって、靴やスリッパ等の履物が揃った時は結合し、右靴やスリッパの拇指骨部表面と左靴やスリッパの内くるぶし部表面が擦れ合った時は反発して、人が転倒するのを防ぐためである。
【０００７】
又、本発明の靴やスリッパ等の履物に於いて、ミッドソールは甲部のことであり、アウトソールは底部のことを意味する。
【発明の効果】
【０００８】
本発明は上述した構成で、履物のミッドソールやアウトソールの左右一対の履物に於いて、左足側、右足側のそれぞれのミッドソールの拇指骨部表面に一対の係合離反可能な相反する作用を有する第１の係止手段が付設され、内くるぶし部表面に前記第１の係止手段に対して逆に作用する第２の係止手段が付設された履物なので、親が幼児や児童に靴を買い与えた時、左右一対の靴の揃え方を注意すれば左右を間違えることなく、自分で正しく揃えて履けるようになり、児童から大人も集会場等で揃えるようになる。尚、その結果、靴の不揃い防止にもつながり、靴の片方を捜すこともいらず、いらいら感も排除出来るので、靴を左右正しく履き、揃えることが出来るようになる。
【発明を実施するための最良の形態】
【０００９】
以下、本発明の実施の形態を実施例となる図１〜図３に基づいて説明する。
【００１０】
図１と図２は靴を用いた実施例を示し、左足靴ミッドソール１a、の拇指骨部表面４に係止手段としてＮ極磁石を取り付けている。尚、Ｎ極磁石に変えて面ファスナー凸片を取り付けても良い。続いて内くるぶし部表面６にＳ極磁石を取り付けている。尚、Ｓ極磁石に変えて面ファスナー凹片を取り付けても良い。
そして、右足靴ミッドソール１bの拇指骨部表面５にＳ極磁石を取り付けている。尚、Ｓ極磁石に変えて面ファスナー凹片を取り付けても良い。続いて内くるぶし部表面７にＮ極磁石を取り付けている。尚、Ｎ極磁石に変えて面ファスナー凸片を取り付けても良い。
【００１１】
靴のアウトソールに上記と同様の構成を備えても、同様の効果が得られる。
【００１２】
図２に図示した右靴ミッドソール１bの拇指骨部表面５に係止手段としてＳ極磁石を取り付けている。尚、Ｓ磁石に変えて面ファスナー凹片を取り付けても良い。続いて内くるぶし部表面７にＮ極磁石を取り付けている。尚、Ｎ極磁石に変えて面ファスナー凸片を取り付けても良い。アウトソール２の拇指骨下部表面８に係止手段としてＳ極磁石を取り付けている。尚、Ｓ極磁石に変えて面ファスナー凹片を取り付けても良い。続いて内くるぶし下部表面９にＮ極磁石を取り付けている。尚、Ｎ極磁石に変えて面ファスナー凸片を取り付けても良い。
【００１３】
図３―Ａと図３―Ｂは、歩走行時に靴が擦り合うことを想定しての説明図である。
図３―Ａは、左靴のミッドソール１aの内くるぶし部表面６にＳ極磁石を取り付けている。尚、Ｓ極磁石に変えて面ファスナー凹片を取り付けても良い。右靴のミッドソール１b拇指骨部表面５にS極磁石を取り付けている。尚、Ｓ極磁石に変えて面ファスナー凹片を取り付けても良い。
図３―Ｂは、右靴のミッドソール１bの内くるぶし部表面７にＮ極磁石を取り付けている。尚、Ｎ極磁石に変えて面ファスナー凸片を取り付けても良い。左靴のミッドソール１aの拇指骨部表面４にＮ磁石を取り付けている。尚、Ｎ極磁石に変えて面ファスナー凸片を取り付けても良い。
よって、Ｓ磁石とＳ磁石は反発し，Ｎ磁石同士も反発して、幼児や児童、老人達の歩走行する際に靴が擦れ合っても躓かず転倒することを防げる。
【００１４】
尚、本発明で履物に付設する磁石の引張り強さは残留磁石束密度Ｂｒ１．２８〜２．３６、保磁力ｂＨｅ（ＫＡ／ｍ）９５４〜１０５６とｉＨｅ（Ｋａ／ｍ）、１１１４ｍｉｎ最大エネルギー（ＢＨ）ｍａｓ、ｋｊ／立方メートル３１０〜３５を使用すると良い。
又、面ファスナーは素子面ファスナーどうしを押しこむことにより強固に固定され、脱着可能であり、材質はポリプロビレン糸、ナイロン糸、バックコート糸、接着剤、特殊樹脂合反織布、アクリル系粘着剤、離型紙等からなるもので引張り強さは３１０ｊｎ二乗を用いると良い。
【００１５】
尚、本発明で履物に付設する上記材質の面ファスナー形状と大きさは、円形で直径２０ｍｍ、厚さ３．８ｍｍを取り付けている。尚、円形に変えて、長方形で、縦２０ｍｍ、横２５ｍｍ、厚さ３. ８ｍｍを取り付けても良い。
又、本発明で履物に付設する上記磁石形状と大きさは、円形で直径８ｍｍ、厚み３ｍｍを取り付けている。
【図面の簡単な説明】
【００１６】
【図１】本発明の実施例を示す靴の平面図
【図２】同右靴に磁石又は面ファスナーを付設した箇所を示した側面図
【図３−Ａ】同歩走行時に靴が擦り合うことを想定しての平面図
【図３−Ｂ】同歩走行時に靴が擦り合うことを想定しての平面図
【符号の説明】
【００１７】
１a   左靴のミッドソール（甲部）
１b   右靴のミッドソール（甲部）
２    右靴のアウトソール（底部）
４    左靴のミッドソールの拇指骨部表面に付設したN極磁石
５    右靴のミッドソールの拇指骨部表面に付設したS極磁石
６    左靴のミッドソールの内くるぶし部表面に付設したS極磁石
７    右靴のミッドソールの内くるぶし部表面に付設したN極磁石
８    右靴のアウトソールの拇指骨下部表面に付設したS極磁石
９    右靴のアウトソールの内くるぶし下部表面に付設したN極磁石
【図１】
2006247225.tif 000003
【図２】
2006247225.tif 000004
【図３−Ａ】
2006247225.tif 000005
【図３−Ｂ】
2006247225.tif 000006